(57)【要約】【課題】医用診断装置においては、装置の各ユニットを接続する信号ケーブルと、各ユニットに電力を供給する電力ケーブルが必要であるが、これらのケーブルは本数が多く、装置を設置する病院等の部屋の中でこれらのケーブルが占有する面積が無視できない状況にあり、また装置据付時に作業時間を増加させる原因の一つにもなっている。【解決手段】電力通信線２２により商用電源から絶縁トランス１０を経て各ユニットの直流安定化電源８に電力を供給するとともに、電力通信線２２を用いて各ユニット間の通信を行うための電力線モデム１１を各ユニットの通信制御部７と電力通信線２２の間に設ける。【選択図】          図１
2007306962.tif 000002
【特許請求の範囲】
【請求項１】
複数のユニットから構成される医用診断装置において、各ユニットは外部から供給される電力を内部に供給する電力入力部と、他のユニットとの通信を制御する通信制御部と、前記通信制御部から入力される送信信号に対応して変調された信号を電源電圧に重畳して出力し、かつ前記電源電圧に重畳された信号を抽出し復調して得た受信信号を前記通信制御部に出力する電力線モデムを備え、外部から供給される電力を絶縁して出力する絶縁トランスと、前記絶縁トランスと前記各ユニットの電力入力部および電力線モデムを接続して通信線としての機能を兼ねるように構成された電力線とからなり、前記各ユニットが互いに前記電力線を介して通信しながら作動することを特徴とする医用診断装置。
【発明の詳細な説明】
【技術分野】
【０００１】
病院等で使用されるＸ線画像診断装置、ＰＥＴ装置、ＣＴ装置、ＭＲＩ装置等の医用診断装置に関する。
【背景技術】
【０００２】
最近の医用画像診断装置は通常例えば高電圧発生部、Ｘ線管および検出器保持部、ベッド、画像処理部等それぞれの機能ごとに独立した制御部を有するユニットの集合として構成され、各ユニットが互いに必要な情報の授受を行いながら動作することにより装置全体として有機的な動作を実行している。そのために各ユニットは信号の授受を行う必要のある他のユニットとケーブルによって結合されており、通常その本数はユニットの増加とともに急激に増加する。
【０００３】
またそれ以外に各ユニットには商用電源からトランス等を経てそれぞれに電源を供給するケーブルも必要なので、装置全体としては各ユニット同士を接続する多数のケーブルが存在し、装置を設置する病院等の部屋の中でこれらのケーブルが占有する面積が無視できない状況にあるとともに、装置の据付時に作業時間を増加させる原因の一つにもなっている。これらの問題を解消するために各ユニットを、複数のパーソナルコンピュータ（以下ＰＣと記載）等をハブを用いて接続するＬＡＮ（ローカルエリアネットワーク）のような方式で接続することにより、信号ケーブルの本数を少なくした装置が実用化されている。このような装置の構成例について図２を用いて説明する。
【０００４】
図２は循環器用Ｘ線診断装置を例として、各ユニット間の信号の授受を行う信号ケーブルである通信線２３および各ユニットに電力を供給する電力ケーブルである電力線２４を中心に描いた図である。ユニットとして描かれているＸ線管（図示しない）に電力を供給するＸ線高電圧装置５１、Ｘ線管およびＸ線検出器（図示しない）を対向保持するＸ線保持装置５２、被検者（図示しない）を載置するベッド５３、Ｘ線高電圧装置５１やＸ線保持装置５２やベッド５３等を検査室内で操作するための近接制御卓５４、同じく操作室内で操作する遠隔制御卓５５、Ｘ線検出器から得られる画像信号を処理する画像処理装置５６は互いに信号の授受を行いながら全体として有機的に動作するが、Ｘ線管やＸ線検出器等これらのユニットの制御の下で動作するものについては今回の説明では特に関係ないので図示していない。
【０００５】
循環器用Ｘ線診断装置のユニットであるＸ線高電圧装置５１、Ｘ線保持装置５２、ベッド５３、近接制御卓５４、遠隔制御卓５５のそれぞれにおいては、例えばマイクロコンピュータ等により構成されるＸ線高電圧制御部１Ａ、保持装置制御部２Ａ、ベッド制御部３Ａ、近接制御部４Ａ、遠隔制御部５Ａによりそれぞれの動作の制御が行われ、画像処理装置５６においては例えばＰＣ等により構成される画像処理部６Ａにより画像処理を主体とした動作の制御が行われる。そして上記の各制御部および処理部はそれぞれのユニット内の通信制御部７を介してベッド５３に内蔵された通信線接続部９に接続されている。通信線接続部９は複数のＰＣを接続して互いに情報の送受信を可能にするＬＡＮシステムにおけるハブと同等の機能を有しており、通信制御部７は各ユニット間の送受信の制御および通信線２３の使用権の制御を行う機能を有している。
【０００６】
これにより、各ユニットはそれぞれの制御部または処理部の制御下で必要に応じて互いに情報の送受信を行うことができる。なおこの例では通信線接続部９をベッド５３に内蔵したが、特にベッド５３に拘るものではなくＸ線高電圧装置５１から画像処理装置５６までのいずれのユニットに内蔵してもよい。以上の方法により、この方式は各ユニット間を互いに信号ケーブルで接続する従来の方式に比べてケーブル数を減らすことができるが、各ユニットの動作のためには通信線２３以外にさらに循環器用Ｘ線診断装置の一部である絶縁トランス１０を介して商用電源から各ユニットの直流安定化電源８に電力を供給する電力線２４が必要である。なおＣＴ装置については、走査ガントリ内でスリップリングおよび接触ブラシの使用数を節減するために、電力を供給する線と通信を行う線を兼用させるものが考案されている（例えば特許文献１参照）。
【特許文献１】特開２００１−２９３４１号公報
【発明の開示】
【発明が解決しようとする課題】
【０００７】
上述のように医用診断装置においては、装置の各ユニットを接続する信号ケーブルと、各ユニットに電力を供給する電力ケーブルが必要であるが、これらのケーブルは上述した方法によってもなお本数が多いため、装置を設置する病院等の部屋の中でこれらのケーブルが占有する面積が無視できない状況にあり、また装置据付時に作業時間を増加させる原因の一つにもなっている。本発明はこれらのケーブルの本数を減らしてケーブルが占有する面積を減少させるとともに、装置据付時の作業時間を短縮することを目的とする。
【課題を解決するための手段】
【０００８】
請求項１記載の発明は上記の目的を達成するために、複数のユニットから構成される医用診断装置において、各ユニットは外部から供給される電力を内部に供給する電力入力部と、他のユニットとの通信を制御する通信制御部と、前記通信制御部から入力される送信信号に対応して変調された信号を電源電圧に重畳して出力し、かつ前記電源電圧に重畳された信号を抽出し復調して得た受信信号を前記通信制御部に出力する電力線モデムを備え、外部から供給される電力を絶縁して出力する絶縁トランスと、前記絶縁トランスと前記各ユニットの電力入力部および電力線モデムを接続して通信線としての機能を兼ねるように構成された電力線とからなり、前記各ユニットが互いに前記電力線を介して通信しながら作動することを特徴とする、絶縁トランスにより本装置と外部からの商用電源が絶縁され外来ノイズや本装置重畳通信が本装置と外部の双方に影響を与えない医用診断装置を供給する。
【発明の効果】
【０００９】
本発明により、装置の各構成要素を結ぶ通信線と電力線を兼用することで装置全体に必要なケーブル数を減らすことができるので、装置を設置する場所においてケーブルが占有する面積を減らすことができるとともに、装置の据付の時間を短縮することができる。
【発明を実施するための最良の形態】
【００１０】
図１は循環器用Ｘ線診断装置を用いて本発明の実施例を説明するために、装置のユニットであるＸ線高電圧装置１、Ｘ線保持装置２、ベッド３、近接制御卓４、遠隔制御卓５、画像処理装置６およびそれらを結ぶ電力通信線２２を中心に描いた図である。なお図１において図２と同じ符号で示される部分は図２と同じなのでそれらについての説明は省略する。図１において各ユニットは電力通信線２２を介して互いに信号の授受を行いながら全体として有機的に動作するが、Ｘ線管やＸ線検出器等これらのユニットの制御の下で動作するものについては今回の説明では特に関係ないので図２と同様図１においても図示していない。
【００１１】
図１において、例えばマイクロコンピュータ等により構成されるＸ線高電圧制御部１Ａ、保持装置制御部２Ａ、ベッド制御部３Ａ、近接制御部４Ａ、遠隔制御部５Ａ、および例えばＰＣ等により構成される画像処理部６Ａはそれぞれ循環器用Ｘ線診断装置のユニットであるＸ線高電圧装置１、Ｘ線保持装置２、ベッド３、近接制御卓４、遠隔制御卓５、画像処理装置６の動作を制御するとともに、ユニット間で情報の授受が必要な場合、それぞれの通信制御部７および電力線モデム１１により情報の送受信を行う。このとき通信制御部７は各制御部または処理部の制御のもとで電力線モデム１１に送信信号を出力し、また電力線モデム１１から受け取った受信信号を各制御部または処理部に出力するとともに、電力通信線２２の通信に関する使用権の制御を行う。一方電力線モデム１１は商用電源から絶縁トランス１０を経由して電力通信線２２により直流安定化電源８と並列に供給される交流電圧に、電力線モデム１１内で発生する商用電源に比べて高周波の搬送波を通信制御部７から入力される送信信号に対応して変調した通信用信号を重畳させることにより、電力通信線２２を介して他のユニットに出力するとともに、他のユニットから出力された高周波の通信用信号が重畳された交流電圧から通信用信号を取り出し復調して得られた受信信号を通信制御部７に出力する。
【００１２】
医用診断装置を例えば上記のように構成することにより、装置を構成する各ユニットへの電力の供給および各ユニット間の通信に共通の配線を用いることができるので、配線に用いるケーブル数を大幅に減少することができる。この結果装置を設置する場所においてケーブルが占有する面積を減らすことができるとともに、装置の据付の時間を短縮することができる。
【００１３】
なお上記の実施例では循環器用Ｘ線診断装置について説明したが、本発明はそれぞれに制御機能を有し互いに情報の授受を行うことにより装置全体が有機的に動作する複数のユニットにより構成されるすべての医用診断装置に適用可能である。
【産業上の利用可能性】
【００１４】
病院等で使用されるＸ線画像診断装置、ＰＥＴ装置、ＣＴ装置、ＭＲＩ装置等の医用診断装置に関する。
【図面の簡単な説明】
【００１５】
【図１】電力および通信に共通の配線を用いた本発明のＸ線画像診断装置について説明するための図である。
【図２】従来のＸ線画像診断装置における電力線と通信線の関係を説明するための図である。
【符号の説明】
【００１６】
１：Ｘ線高電圧装置
１Ａ：Ｘ線高電圧制御部
２：Ｘ線保持装置
２Ａ：保持装置制御部
３：ベッド
３Ａ：ベッド制御部
４：近接制御卓
４Ａ：近接制御部
５：遠隔制御卓
５Ａ：遠隔制御部
６：画像処理装置
６Ａ：画像処理部
７：通信制御部
８：直流安定化電源
９：通信線接続部
１０：絶縁トランス
１１：電力線モデム
２２：電力通信線
２３：通信線
２４：電力線
５１：Ｘ線高電圧装置
５２：Ｘ線保持装置
５３：ベッド
５４：近接制御卓
５５：遠隔制御卓
５６：画像処理装置
【図１】
2007306962.tif 000003
【図２】
2007306962.tif 000004